(57)【要約】【課題】画像品質の低下を抑制することができる画像形成装置を提供する。【解決手段】  反射型光学センサ２２４５は、定着ベルトに向けて光を射出する複数の発光部、及び複数の受光部などを有している。遮光機構１００は、遮光部材１００ａ及び該遮光部材をｘ軸方向に移動させる駆動装置１００ｂを有し、反射型光学センサから射出された光を一時的に遮光することができる。プリンタ制御装置は、遮光部材が「閉状態」のときに得られた反射型光学センサの出力信号に基づいて、遮光部材が「開状態」のときに得られた反射型光学センサの出力信号を補正する。【選択図】図１６
2014153373.tif 000002
【特許請求の範囲】
【請求項１】
移動体に向けて光を射出する発光部及び受光部を有するセンサと、
前記センサから射出され前記移動体で反射された光を前記センサに入射させる第１状態と、前記センサから射出される光の反射光を前記センサに入射させない第２状態を、択一的に選択可能な光入射調整機構と、
前記センサから光を射出させ、前記光入射調整機構が前記第２状態のときの前記センサの出力に基づいて、前記光入射調整機構が前記第１状態のときの前記センサの出力を補正する処理装置と、を備える画像形成装置。
【請求項２】
前記発光部を点灯させたときの光の一部は、前記センサの内部で散乱されて前記受光部で受光されることを特徴とする請求項１に記載の画像形成装置。
【請求項３】
前記処理装置は、前記光入射調整機構が前記第１状態のときの前記センサの出力から前記光入射調整機構が前記第２状態のときの前記センサの出力を減算することを特徴とする請求項１又は２に記載の画像形成装置。
【請求項４】
前記処理装置は、前記補正された前記センサの出力に基づいて前記移動体の表面情報を求めることを特徴とする請求項１〜３のいずれか一項に記載の画像形成装置。
【請求項５】
前記移動体の表面情報は、前記移動体の移動方向にのびる筋状の傷情報であることを特徴とする請求項４に記載の画像形成装置。
【請求項６】
前記傷情報は、傷の位置及び傷の深さの少なくとも一方に関する情報であることを特徴とする請求項５に記載の画像形成装置。
【請求項７】
前記移動体は定着ベルトであることを特徴とする請求項１〜６のいずれか一項に記載の画像形成装置。
【請求項８】
対象物に向けて光を射出する発光部及び受光部を有するセンサを用いたセンシング方法であって、
前記センサでは、前記発光部を点灯させたときの光の一部は、前記センサの内部で散乱されて前記受光部で受光され、
前記センサから射出され前記対象物で反射された光を前記センサに入射させ、前記センサの出力を第１出力値として求める工程と、
前記センサから射出された光の反射光が前記センサに入射されない状態とし、前記センサから光を射出し、前記センサの出力を第２出力値として求める工程と、
前記第２出力値に基づいて前記第１出力値を補正する工程と、
前記補正された第１出力値に基づいて前記対象物の表面情報を求める工程と、を含むセンシング方法。
【請求項９】
対象物に向けて光を射出する発光部及び受光部を有するセンサを備える装置に用いられるプログラムであって、
前記センサでは、前記発光部を点灯させたときの光の一部は、前記センサの内部で散乱されて前記受光部で受光され、
前記センサから射出され前記対象物で反射された光を前記センサに入射させ、前記センサの出力を第１出力値として求める手順と、
前記センサから射出された光の反射光が前記センサに入射されない状態とし、前記センサから光を射出し、前記センサの出力を第２出力値として求める手順と、
前記第２出力値に基づいて前記第１出力値を補正する手順と、
前記補正された第１出力値に基づいて前記対象物の表面情報を求める手順とを、前記装置の制御用コンピュータに実行させるプログラム。
【請求項１０】
請求項９に記載のプログラムが記録されたコンピュータ読み取り可能な記録媒体。
【発明の詳細な説明】
【技術分野】
【０００１】
本発明は、画像形成装置、センシング方法、プログラム及び記録媒体に係り、更に詳しくは、移動体を有する画像形成装置、対象物で反射された光を受光するセンサを用いたセンシング方法、対象物で反射された光を受光するセンサを備える装置に用いられるプログラム、及び該プログラムが記録されたコンピュータ読み取り可能な記録媒体に関する。
【背景技術】
【０００２】
画像形成装置は、一般的に、感光体ドラム及びその周囲に配置された帯電装置、露光装置、現像装置などを有している。感光体ドラムの表面は帯電装置により一様に帯電され、その帯電部分が露光装置から射出されたレーザ光によって露光される。これにより感光体ドラム上に静電潜像が形成され、この静電潜像は現像装置により現像され、トナー画像となる。
【０００３】
感光体ドラム上のトナー画像は、搬送ベルトで搬送されてきた用紙に転写される。トナー画像が転写された用紙は、搬送ベルトから剥離されて定着装置に搬送され、ここでトナーが定着され、排紙される。
【０００４】
定着装置は、用紙を加熱及び加圧するための定着ベルトを有している。例えば、Ａ４サイズ用紙及びＡ３サイズ用紙を使用可能な画像形成装置において、Ａ４サイズ用紙の定着を縦通紙の状態で繰り返すと、定着ベルト表面におけるＡ４サイズ用紙の用紙幅方向の端部が通過する位置に縦筋状の傷が発生することがある。これは用紙端のバリや紙粉により定着ベルトの表面が荒らされることによって生じる。
【０００５】
このとき、Ａ４サイズ用紙の横通紙あるいはＡ３サイズ用紙の縦通紙がなされると、上記縦筋状の傷に対応して画像表面にいわゆる光沢スジが現れ、画像品質が劣化する。そこで、定着部材の表面状態を検出することができる画像形成装置が考案された（例えば、特許文献１及び特許文献２参照）。
【発明の概要】
【発明が解決しようとする課題】
【０００６】
画像形成装置における画像品質に対する要求は、年々高くなってきている。しかしながら、特許文献１及び特許文献２に開示されている画像形成装置では、定着部材の表面状態を安定して精度良く検出することは困難であり、画像品質が低下するおそれがあった。
【課題を解決するための手段】
【０００７】
本発明は、移動体に向けて光を射出する発光部及び受光部を有するセンサと、前記センサから射出され前記移動体で反射された光を前記センサに入射させる第１状態と、前記センサから射出される光の反射光を前記センサに入射させない第２状態を、択一的に選択可能な光入射調整機構と、前記センサから光を射出させ、前記光入射調整機構が前記第２状態のときの前記センサの出力に基づいて、前記光入射調整機構が前記第１状態のときの前記センサの出力を補正する処理装置と、を備える画像形成装置である。
【発明の効果】
【０００８】
本発明の画像形成装置によれば、画像品質の低下を抑制することができる。
【図面の簡単な説明】
【０００９】
【図１】本発明の一実施形態に係るカラープリンタの概略構成を説明するための図である。
【図２】定着装置を説明するための図である。
【図３】定着ベルトにおける傷の発生部位を説明するための図である。
【図４】反射型光学センサの配置位置を説明するための図である。
【図５】反射型光学センサを説明するための図（その１）である。
【図６】反射型光学センサを説明するための図（その２）である。
【図７】反射型光学センサを説明するための図（その３）である。
【図８】反射型光学センサを説明するための図（その４）である。
【図９】反射型光学センサを説明するための図（その５）である。
【図１０】図１０（Ａ）〜図１０（Ｄ）は、それぞれ定着ベルトの表面に形成される光スポットを説明するための図である。
【図１１】組ｐにおける、ｙ軸方向に関する発光部の並び順と光スポットの形成位置の並び順とを説明するための図である。
【図１２】光照射位置を説明するための図である。
【図１３】反射型光学センサの検出範囲を説明するための図である。
【図１４】反射光の光路を説明するための図（その１）である。
【図１５】反射光の光路を説明するための図（その２）である。
【図１６】図１６（Ａ）及び図１６（Ｂ）は、それぞれ遮光機構を説明するための図である。
【図１７】遮光部材を「閉状態」とし、発光部Ｅ４１、発光部Ｅ４２、発光部Ｅ４３、発光部Ｅ４４を個別に点灯させたときの各受光部の出力値を説明するための図である。
【図１８】遮光部材が「閉状態」のときに、受光部の出力値が０とならない理由を説明するための図である。
【図１９】遮光部材が「開状態」のときの受光部出力から遮光部材が「閉状態」のときの受光部出力を差し引いたときの各受光部の出力値を説明するための図である。
【図２０】遮光部材を「閉状態」とし、各発光部を個別に点灯させたときの各受光部の出力値の和を説明するための図である。
【図２１】遮光部材を「開状態」とし、各発光部を個別に点灯させたときの光パワーメータの出力値を説明するための図である。
【図２２】表面状態チェック処理を説明するためのフローチャート（その１）である。
【図２３】表面状態チェック処理を説明するためのフローチャート（その２）である。
【図２４】表面状態チェック処理を説明するためのフローチャート（その３）である。
【図２５】第３検出値と点灯発光部との関係を説明するための図である。
【図２６】第３検出値と光照射位置との関係を説明するための図である。
【図２７】微分値を求める方法を説明するための図である。
【図２８】微分値と光照射位置との関係を説明するための図である。
【図２９】ゼロクロス位置を説明するための図である。
【図３０】傷の深さパラメータを求める方法を説明するための図（その１）である。
【図３１】傷の深さパラメータを求める方法を説明するための図（その２）である。
【図３２】傷の幅を求める方法を説明するための図である。
【図３３】表面状態チェック処理の変形例１を説明するためのフローチャートである。
【図３４】表面状態チェック処理の変形例２を説明するためのフローチャートである。
【図３５】図３５（Ａ）及び図３５（Ｂ）は、それぞれ遮光機構の変形例を説明するための図である。
【図３６】反射型光学センサの取り付け姿勢の変形例を説明するための図である。
【図３７】２つの反射型光学センサが設けられる場合を説明するための図である。
【発明を実施するための形態】
【００１０】
以下、本発明の一実施形態を図１〜図３２に基づいて説明する。図１には、一実施形態に係るカラープリンタ２０００の概略構成が示されている。
【００１１】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像ローラ（２０３３ａ、２０３３ｂ、２０３３ｃ、２０３３ｄ）、４つの転写ローラ（２０３４ａ、２０３４ｂ、２０３４ｃ、２０３４ｄ）、中間転写ベルト２０４０、２次転写ローラ２０４２、定着装置２０５０、給紙コロ２０５４、排紙ローラ２０５８、給紙トレイ２０６０、排紙トレイ２０７０、通信制御装置２０８０、反射型光学センサ２２４５、遮光機構１００、操作パネル（図示省略）及び上記各部を統括的に制御するプリンタ制御装置２０９０などを備えている。
【００１２】
通信制御装置２０８０は、ネットワークなどを介した上位装置（例えばパソコン）との双方向の通信を制御する。
【００１３】
プリンタ制御装置２０９０は、ＣＰＵ、該ＣＰＵにて解読可能なコードで記述されたプログラム及び該プログラムを実行する際に用いられる各種データが格納されているＲＯＭ、作業用のメモリであるＲＡＭ、増幅回路、アナログ信号をデジタル信号に変換するＡ／Ｄ変換回路などを有している。そして、プリンタ制御装置２０９０は、通信制御装置２０８０を介して受信した上位装置からの多色の画像情報（ブラック画像情報、シアン画像情報、マゼンタ画像情報、イエロー画像情報）を光走査装置２０１０に通知する。
【００１４】
操作パネルは、作業者が各種設定を行うための複数のキー、及び各種情報を表示するための表示器を有している。
【００１５】
感光体ドラム２０３０ａ、帯電装置２０３２ａ、現像ローラ２０３３ａ、転写ローラ２０３４ａ、及びクリーニングユニット２０３１ａは、組として使用され、ブラックの画像を形成する画像形成ステーション（以下では、便宜上「Ｋステーション」ともいう）を構成する。
【００１６】
感光体ドラム２０３０ｂ、帯電装置２０３２ｂ、現像ローラ２０３３ｂ、転写ローラ２０３４ｂ、及びクリーニングユニット２０３１ｂは、組として使用され、シアンの画像を形成する画像形成ステーション（以下では、便宜上「Ｃステーション」ともいう）を構成する。
【００１７】
感光体ドラム２０３０ｃ、帯電装置２０３２ｃ、現像ローラ２０３３ｃ、転写ローラ２０３４ｃ、及びクリーニングユニット２０３１ｃは、組として使用され、マゼンタの画像を形成する画像形成ステーション（以下では、便宜上「Ｍステーション」ともいう）を構成する。
【００１８】
感光体ドラム２０３０ｄ、帯電装置２０３２ｄ、現像ローラ２０３３ｄ、転写ローラ２０３４ｄ、及びクリーニングユニット２０３１ｄは、組として使用され、イエローの画像を形成する画像形成ステーション（以下では、便宜上「Ｙステーション」ともいう）を構成する。
【００１９】
各感光体ドラムはいずれも、その表面に感光層が形成されている。ここでは、各感光体ドラムの表面がそれぞれ被走査面である。各感光体ドラムは、不図示の回転機構により、図１における面内で矢印方向に回転する。
【００２０】
各帯電装置は、対応する感光体ドラムの表面をそれぞれ均一に帯電させる。
【００２１】
光走査装置２０１０は、プリンタ制御装置２０９０からの多色の画像情報に基づいて色毎に変調された光で、対応する帯電された感光体ドラムの表面を走査する。これにより、画像情報に対応した潜像が各感光体ドラムの表面にそれぞれ形成される。ここで形成された潜像は、感光体ドラムの回転に伴って対応する現像ローラの方向に移動する。
【００２２】
各現像ローラは、回転に伴って、対応するトナーカートリッジ（図示省略）からのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（トナー画像）は、感光体ドラムの回転に伴って中間転写ベルト２０４０の方向に移動する。
【００２３】
各転写ローラは、トナー画像を中間転写ベルト２０４０に転写する。
【００２４】
イエロー、マゼンタ、シアン、ブラックの各トナー画像は、所定のタイミングで中間転写ベルト２０４０上に順次転写され、重ね合わされてカラー画像が形成される。
【００２５】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚ずつ取り出す。該記録紙は、所定のタイミングで中間転写ベルト２０４０と２次転写ローラ２０４２との間隙に向けて送り出される。これにより、中間転写ベルト２０４０上のトナー画像が記録紙に転写される。トナー画像が転写された記録紙は、定着装置２０５０に送られる。
【００２６】
定着装置２０５０では、熱と圧力とが記録紙に加えられ、これによってトナーが記録紙上に定着される。トナーが定着された記録紙は、排紙ローラ２０５８を介して排紙トレイ２０７０に送られ、排紙トレイ２０７０上に順次積み重ねられる。
【００２７】
各クリーニングユニットは、対応する感光体ドラムの表面に残ったトナー（残留トナー）を除去する。残留トナーが除去された感光体ドラムの表面は、再度対応する帯電装置に対向する位置に戻る。
【００２８】
反射型光学センサ２２４５は、定着装置２０５０の近傍に配置されている。この反射型光学センサ２２４５の詳細については後述する。
【００２９】
上記定着装置２０５０は、一例として図２に示されるように、加圧ローラ５０１、定着ベルト５０２、定着ローラ５０３、加熱ローラ５０４、テンションローラ５０５、分離爪５０６、及び温度センサ（図示省略）などを有している。
【００３０】
ここでは、ｘｙｚ３次元直交座標系において、定着装置２０５０に搬送される記録紙の紙面に直交する方向をｚ軸方向とする。また、記録紙の搬送方向を＋ｘ方向とする。
【００３１】
加圧ローラ５０１は、アルミニウム又は鉄などの金属の芯金をシリコーンゴムなどの弾性部材で被覆し、表面をフッ素樹脂でコーティングしたものである。
【００３２】
定着ベルト５０２は、ニッケルやポリイミドなどを基材とし、表面をフッ素樹脂でコーティングしたものである。なお、基材とフッ素樹脂との間に、シリコーンゴムなどの弾性部材が付加されていても良い。
【００３３】
定着ベルト５０２は、定着ローラ５０３と加熱ローラ５０４とに掛けまわされており、テンションローラ５０５によって適切な張力に保たれている。
【００３４】
定着ローラ５０３は、アルミニウム又は鉄などの金属の芯金をシリコーンゴムで被覆したものである。
【００３５】
加熱ローラ５０４は、アルミニウム又は鉄の中空ローラ、及び該中空ローラの内部に設けられたハロゲンヒータなどの熱源を有している。
【００３６】
テンションローラ５０５は、アルミニウム又は鉄などの金属の芯金をシリコーンゴムで被覆したものである。
【００３７】
分離爪５０６は、定着ローラ５０３の回転軸に平行な方向（ここでは、ｙ軸方向）に沿って複数個設けられている。そして、各分離爪５０６の先端は、定着ローラ５０３の表面に接している。
【００３８】
温度センサは、加熱ローラ５０４上の定着ベルト５０２の温度を非接触で検出する。なお、温度センサとして、接触型の温度センサを用いても良い。
【００３９】
この定着装置２０５０では、定着ローラ５０３と加圧ローラ５０１とにより形成されるニップ部に記録紙が進入すると、該ニップ部において所定の圧力と熱とが記録紙に付与され、記録紙上のトナー画像が定着される。
【００４０】
この定着装置２０５０で、Ａ４サイズの記録紙の定着を縦通紙の状態で繰り返すと、定着ベルト５０２の表面における記録紙の幅方向の端部が通過する位置に縦筋状の傷が発生することがある（図３参照）。これは記録紙端部のバリや紙粉により定着ベルト５０２の表面が荒らされることによって生じる。表面硬度が高い定着ベルトは、特に傷つき易い。
【００４１】
このとき、Ａ４記録紙を横通紙あるいはＡ３記録紙を縦通紙させると、上記傷に対応して画像表面にいわゆる光沢スジが現れ、画像品質が劣化する。
【００４２】
そこで、定着ベルト５０２における上記傷の位置及び傷の状態(傷の深さ、傷の幅）を検出するために、定着装置２０５０の近傍に反射型光学センサ２２４５が配置されている。
【００４３】
ここでは、反射型光学センサ２２４５は、定着装置２０５０の＋ｚ側に配置されている。そして、ｙ軸方向に関しては、反射型光学センサ２２４５は、定着ベルト５０２における上記傷が発生する部位（以下では、「傷発生部位」と略述する）の１つに対向する位置に配置されている（図４参照）。なお、図４では、２つの傷発生部位のうち、−ｙ側の傷発生部位に対向する位置に反射型光学センサ２２４５が配置されているが、＋ｙ側の傷発生部位に対向する位置に反射型光学センサ２２４５が配置されても良い。
【００４４】
反射型光学センサ２２４５の構成について、図５〜図９を用いて説明する。図６は、図５のＡ−Ａ断面図であり、図７は、図５のＢ−Ｂ断面図であり、図８は、図５のＣ−Ｃ断面図である。また、図９は、図５においてレンズ部材を取り外したときの図である。
【００４５】
反射型光学センサ２２４５は、ｙ軸方向を長手方向とする四角柱状の外形を有し、２８個の発光部、７個の照明用レンズ（ＥＬ１〜ＥＬ７）、１個の受光用レンズＤＬ、２８個の受光部（Ｄ１〜Ｄ２８）、基板４５、枠部材４６、及び開口部材４７などを備えている。７個の照明用レンズ及び１個の受光用レンズＤＬは、いずれも樹脂製であり、それらを一体化したものが上記レンズ部材である。
【００４６】
２８個の発光部は、４個ずつ７つの組（組１〜組７）に分けられている。各組の４個の発光部は、ｙ軸方向に関して、近接して配置されている。そして、組ｐ（ｐ＝１〜７）の４個の発光部を、＋ｙ方向に向かって、「発光部Ｅｐ１」、「発光部Ｅｐ２」、「発光部Ｅｐ３」、「発光部Ｅｐ４」と表記する。また、ｙ軸方向に関して、組と組との間隔は等しい。各発光部は、プリンタ制御装置２０９０によって個々に点灯及び消灯される。なお、以下では、便宜上、点灯される発光部を「点灯発光部」ともいう。
【００４７】
７個の照明用レンズは、組に対応して設けられている。各照明用レンズは、対応する組の発光部から射出された光を定着ベルト５０２の表面に向けて集光的に導く。以下では、組ｐに対応する照明用レンズを「照明用レンズＥＬｐ」と表記する。
【００４８】
組ｐにおいて、発光部Ｅｐ１から射出された光は、照明用レンズＥＬｐで集光され、定着ベルト５０２表面に光スポットＳｐ１を形成する（図１０（Ａ）参照）。発光部Ｅｐ２から射出された光は、照明用レンズＥＬｐで集光され、定着ベルト５０２表面に光スポットＳｐ２を形成する（図１０（Ｂ）参照）。発光部Ｅｐ３から射出された光は、照明用レンズＥＬｐで集光され、定着ベルト５０２表面に光スポットＳｐ３を形成する（図１０（Ｃ）参照）。発光部Ｅｐ４から射出された光は、照明用レンズＥＬｐで集光され、定着ベルト５０２表面に光スポットＳｐ４を形成する（図１０（Ｄ）参照）。
【００４９】
各光スポットは、ｙ軸方向に関して、定着ベルト５０２表面の異なる位置に形成される。ｙ軸方向に関して、４個の発光部の並ぶ向きと４個の光スポットの並ぶ向きとは逆である（図１１参照）。ここでは、ｙ軸方向に関する複数の光スポットの形成ピッチ（中心間距離）は１ｍｍである。なお、ｙ軸方向に関して、定着ベルト５０２表面における光スポットが形成される位置を「光照射位置」ともいう（図１２参照）。ここでは、一例として、光スポットＳ１３が形成される位置を、光照射位置の原点（０ｍｍ）としている。
【００５０】
本実施形態では、組２〜組６の２０個の発光部を用いて定着ベルト５０２における傷の位置及び傷の状態(傷の深さ、傷の幅）を検出する。そこで、一例として図１３に示されるように、組２の発光部Ｅ２４から射出された光による光スポットＳ２４の形成位置と、組６の発光部Ｅ６１から射出された光による光スポットＳ６１の形成位置との間がｙ軸方向に関する検出領域（以下では、単に「検出領域」ともいう。）である。ここでは、１９ｍｍが検出領域である。
【００５１】
ところで、定着ベルト５０２において、Ａ４サイズの記録紙を縦通紙させる場合、該記録紙のｙ軸方向に関する位置は、わずかながら変動する。また、定着ベルト５０２に、いわゆる「ベルトの寄り」が発生すると、定着ベルト５０２に対する該記録紙のｙ軸方向に関する相対的な位置が変化する。さらに、記録紙毎に意図的にｙ軸方向に関する位置を異ならせることもある。そこで、該記録紙のｙ軸方向の端部位置も変動する。この変動領域の大きさ（変動幅）は、１０ｍｍ以下である。上記傷発生部位は、該変動領域内のどこかに存在するため、反射型光学センサ２２４５の検出領域は、変動幅よりも大きくなるように設定する必要がある。
【００５２】
本実施形態では、反射型光学センサ２２４５の検出領域は１９ｍｍであり、変動幅よりも大きいため、傷発生部位を確実に検出することが可能である。また、反射型光学センサ２２４５の検出領域は、変動幅よりもかなり大きいため、反射型光学センサ２２４５のｙ軸方向に関する配置位置は有る程度ラフで良い。
【００５３】
２８個の受光部は、ｙ軸方向に沿って等間隔に配置されている（図９参照）。ここでは、２８個の受光部の配列ピッチは１ｍｍである。各受光部は、受光量に応じたレベルの信号（光電変換信号）をプリンタ制御装置２０９０に出力する。
【００５４】
受光用レンズＤＬは、２８個の受光部の＋ｚ側に配置された単一のシリンドリカルレンズであり、ｘ軸方向にのみ正の光学的パワーを有している（図７及び図８参照）。
【００５５】
定着ベルト５０２で反射された光は、受光用レンズＤＬでｘ軸方向に関してのみ集光され受光部に入射する（図１４及び図１５参照）。
【００５６】
枠部材４６は、基板４５とレンズ部材との間隔が所望の間隔となるように、基板４５とレンズ部材との間に配置されている。そこで、２８個の発光部及び２８個の受光部は、基板４５とレンズ部材と枠部材４６とによって形成される空間内に封止されることとなり、発光部及び受光部の汚染を防止することができる。なお、枠部材４６を樹脂製とし、枠部材４６がレンズ部材と一体的に成形されていても良い。
【００５７】
開口部材４７は、複数の発光部と複数の照明用レンズとの間に設けられ、発光部から射出された光が、隣接する組に対応する照明用レンズに入射するのを防止するとともに、対象物からの反射光以外の光が受光部に入射するのを防止する。なお、開口部材４７を樹脂製とし、開口部材４７がレンズ部材及び枠部材４６の少なくとも一方と一体的に成形されていても良い。ここでは、開口部材４７は、７つの組に対応して７つの開口（貫通孔）を有している。開口部材４７は、ブロック状の部材に穴を開けて作成されても良いし、複数の板状部材を組み合わせて作成されても良い。
【００５８】
遮光機構１００は、反射型光学センサ２２４５と定着ベルト５０２との間に設けられている。この遮光機構１００は、遮光部材１００ａ及び駆動装置１００ｂを有し、一例として図１６（Ａ）及び図１６（Ｂ）に示されるように、駆動装置１００ｂによって遮光部材１００ａがｘ軸方向に関して移動可能となっている。以下では、遮光部材１００ａが図１６（Ａ）に示される位置にあるときを「閉状態」ともいい、図１６（Ｂ）に示される位置にあるときを「開状態」ともいう。駆動装置１００ｂは、プリンタ制御装置２０９０によって制御される。
【００５９】
遮光部材１００ａは、高温に対する耐熱性を有する不透明なエンジニアリングプラスチックを主部材とし、−ｚ側の面に黒色の低反射部材が貼り付けられている。エンジニアリングプラスチックは、通称エンプラと呼ばれている。また、遮光部材１００ａに、特に耐熱性の高いスーパーエンプラを用いても良い。
【００６０】
黒色の低反射部材としては、薄い光吸収フィルムなどがあり、遮光部材１００ａが「閉状態」のとき、反射型光学センサ２２４５から射出された光を吸収し、反射型光学センサ２２４５の受光部に受光されないようにする機能を有している。なお、遮光部材１００ａに用いられているエンジニアリングプラスチックが低反射機能を有していれば、黒色の低反射部材は不要である。
【００６１】
また、遮光部材１００ａは、ｙ軸方向に関する長さが、定着ベルト５０２の幅（ｙ軸方向に関する長さ）と同じ、もしくは若干長くなるように設定されており、定着ベルト５０２からの熱が反射型光学センサ２２４５に直接伝わらないようにする熱遮蔽の機能も有している。
【００６２】
遮光部材１００ａが「開状態」のときは、反射型光学センサ２２４５から射出された光は、定着ベルト５０２に照射され、定着ベルト５０２表面で反射された光が反射型光学センサ２２４５に入射する。一方、遮光部材１００ａが「閉状態」のときは、反射型光学センサ２２４５から射出された光は、遮光部材１００ａに吸収され、反射型光学センサ２２４５に入射しない。
【００６３】
図１７は、遮光部材１００ａが「閉状態」、すなわち、反射型光学センサ２２４５から射出された光を反射する対象物がない状態で、発光部Ｅ４１、発光部Ｅ４２、発光部Ｅ４３、発光部Ｅ４４を個別に点灯させたときの各受光部の相対的な出力値が示されている。光を反射する対象物がなければ、本来であれば各受光部の出力値はいずれもゼロとなるはずであるが、図１７に示されるように、受光部Ｄ１４及び受光部Ｄ１５の出力値をピークとする出力分布が得られている。発明者らは、この出力分布の発生要因を詳細に調査したところ、図１８に示されるように、発光部から射出された光の一部が開口部材４７の前面（−ｚ側の面）で反射され、受光部で受光されたためであることを突き止めた。
【００６４】
図１９には、遮光部材１００ａが「開状態」、すなわち、反射型光学センサ２２４５から射出された光が定着ベルト５０２で反射され、該反射光が反射型光学センサ２２４５に入射する状態で、発光部Ｅ４１、発光部Ｅ４２、発光部Ｅ４３、発光部Ｅ４４を個別に点灯させたときの各受光部の出力値から、遮光部材１００ａが「閉状態」、すなわち、反射型光学センサ２２４５から射出された光を反射する対象物がない状態で、発光部Ｅ４１、発光部Ｅ４２、発光部Ｅ４３、発光部Ｅ４４を個別に点灯させたときの各受光部の出力値を差し引いた結果が示されている。これにより、定着ベルト５０２で反射された光のみを受光したときの各受光部の出力値を得ることができる。
【００６５】
図１９における出力値のピークに着目してみると、点灯発光部がＥ４４→Ｅ４３→Ｅ４２→Ｅ４１のように変化すると、出力値がピークとなる受光部はＤ１０→Ｄ１５→Ｄ１６→Ｄ１８のように番号が小さいほうから大きいほうへシフトしている。これは、点灯発光部が−ｙ方向に変化すると、定着ベルト５０２表面上の光スポットの形成位置が＋ｙ方向に変化することに対応している。
【００６６】
ところで、遮光部材１００ａが「閉状態」のとき、一の発光部を点灯させると、該発光部から射出された光が開口部材４７で直接反射されて受光部で受光されることから、各発光部からみたときの開口部材４７の形状が同じであれば、発光部の発光光量に比例した信号が反射型光学センサ２２４５から出力されると考えられる。ここでは、開口部材４７における一の組に対応する開口部分の大きさが、該一の組の４個の発光部の配置領域の大きさに比べて十分に大きいため、どの発光部からみても開口部材４７の形状は同じであるとみなすことができる。そこで、遮光部材１００ａを「閉状態」とし、複数の発光部を個別に点灯させて発光部毎に反射型光学センサ２２４５の出力を求めると、発光部と反射型光学センサ２２４５の出力との関係は、その時点での複数の発光部の発光光量のばらつきに対応していると考えられる。
【００６７】
また、図２０には、遮光部材１００ａが「閉状態」で、組２〜組６までの２０個の発光部を個別に点灯させたときの２８個の受光部の出力の和（相対値）が示されている。なお、出力の和を求める受光部として、２８個すべての受光部であっても良いし、出力が最大となる発光部と該発光部に近い複数の発光部とからなる２８個よりも少ない個数の発光部を選択しても良い。これは反射型光学センサ２２４５の光学系に依存するため、実験等により予め定めておけば良い。
【００６８】
図２１には、遮光部材１００ａが「開状態」で、組２〜組６までの２０個の発光部を個別に点灯させたときの光量を光パワーメータで測定した結果（相対値）が示されている。
【００６９】
図２０と図２１を比較すると、同じ傾向を示していることがわかる。すなわち、各発光部の発光光量を直接測定するのに代えて、遮光部材１００ａを「閉状態」にしたときの各受光部の出力の和を用いて、複数の発光部における発光光量のばらつきを知ることができる。
【００７０】
プリンタ制御装置２０９０は、Ａ４の記録紙を縦状態で所定の枚数（例えば、５００枚）印刷した後に、Ａ４の記録紙を横状態で印刷する際、あるいはＡ３の記録紙を印刷する際などに、反射型光学センサ２２４５を用いて、定着ベルト５０２の表面状態をチェックする。この表面状態チェック処理について、図２２〜図２４を用いて説明する。図２２〜図２４のフローチャートは、表面状態チェック処理の際に、プリンタ制御装置２０９０のＣＰＵによって実行される一連の処理アルゴリズムに対応している。
【００７１】
最初のステップ４０１では、駆動装置１００ｂを介して遮光部材１００ａを「閉状態」にする。なお、すでに遮光部材１００ａが「閉状態」であれば、このステップ４０１での処理はスキップされる。
【００７２】
次のステップＳ４０３では、繰り返し回数を示す変数ｍに初期値１をセットする。
【００７３】
次のステップＳ４０５では、組を示す変数ｐに初期値２をセットする。
【００７４】
次のステップＳ４０７では、組ｐにおける発光部を示す変数ｑに初期値４をセットする。
【００７５】
次のステップＳ４０９では、発光部Ｅｐｑを点灯させる。すなわち、発光部Ｅｐｑが点灯発光部である。
【００７６】
次のステップＳ４１１では、発光部Ｅｐｑに対応する受光部の出力信号を取得する。本実施形態では、一例として、一の発光部から光が射出されたときに、出力が最大となる受光部と該受光部の＋ｙ側及び−ｙ側にそれぞれ位置する２個の受光部の合計５個の受光部を、一の発光部に対応する受光部としている。
【００７７】
次のステップＳ４１３では、発光部Ｅｐｑを消灯させる。
【００７８】
次のステップＳ４１５では、発光部Ｅｐｑに対応する受光部の出力信号を、発光部Ｅｐｑに対応させてプリンタ制御装置２０９０のＲＡＭに保存する。
【００７９】
次のステップＳ４１７では、ｑの値が１を超えているか否かを判断する。ｑの値が１を超えていれば、ここでの判断は肯定され、ステップＳ４１９に移行する。
【００８０】
このステップＳ４１９では、ｑの値を−１して上記ステップＳ４０９に戻る。
【００８１】
以下、ステップＳ４１７での判断が否定されるまで、ステップＳ４０９〜ステップＳ４１９の処理を繰り返す。
【００８２】
ｑの値が１になると、ステップＳ４１７での判断は否定され、ステップＳ４２１に移行する。
【００８３】
このステップＳ４２１では、ｐの値が６未満であるか否かを判断する。ｐの値が６未満であれば、ここでの判断は肯定され、ステップＳ４２３に移行する。
【００８４】
このステップＳ４２３では、ｐの値を＋１して上記ステップＳ４０７に戻る。
【００８５】
以下、ステップＳ４２１での判断が否定されるまで、ステップＳ４０７〜ステップＳ４２３の処理を繰り返す。
【００８６】
ｐの値が６になると、ステップＳ４２１での判断は否定され、ステップＳ４２５に移行する。
【００８７】
このステップＳ４２５では、ｍの値が予め設定されている整数Ｍ（Ｍ≧２）未満であるか否かを判断する。ｍの値がＭ未満であれば、ここでの判断は肯定され、ステップＳ４２７に移行する。
【００８８】
このステップＳ４２７では、ｍの値を＋１して上記ステップＳ４０５に戻る。
【００８９】
以下、ステップＳ４２５での判断が否定されるまで、ステップＳ４０５〜ステップＳ４２７の処理を繰り返す。
【００９０】
ｍの値がＭになると、ステップＳ４２５での判断は否定され、ステップＳ５０１に移行する。
【００９１】
このステップＳ５０１では、駆動装置１００ｂを介して遮光部材１００ａを「開状態」にする。
【００９２】
次のステップＳ５０３では、繰り返し回数を示す変数ｍに初期値１をセットする。
【００９３】
次のステップＳ５０５では、組を示す変数ｐに初期値２をセットする。
【００９４】
次のステップＳ５０７では、組ｐにおける発光部を示す変数ｑに初期値４をセットする。
【００９５】
次のステップＳ５０９では、発光部Ｅｐｑを点灯させる。すなわち、発光部Ｅｐｑが点灯発光部である。
【００９６】
次のステップＳ５１１では、発光部Ｅｐｑに対応する受光部の出力信号を取得する。
【００９７】
次のステップＳ５１３では、発光部Ｅｐｑを消灯させる。
【００９８】
次のステップＳ５１５では、発光部Ｅｐｑに対応する受光部の出力信号を、発光部Ｅｐｑに対応させてプリンタ制御装置２０９０のＲＡＭに保存する。
【００９９】
次のステップＳ５１７では、ｑの値が１を超えているか否かを判断する。ｑの値が１を超えていれば、ここでの判断は肯定され、ステップＳ５１９に移行する。
【０１００】
このステップＳ５１９では、ｑの値を−１して上記ステップＳ５０９に戻る。
【０１０１】
以下、ステップＳ５１７での判断が否定されるまで、ステップＳ５０９〜ステップＳ５１９の処理を繰り返す。
【０１０２】
ｑの値が１になると、ステップＳ５１７での判断は否定され、ステップＳ５２１に移行する。
【０１０３】
このステップＳ５２１では、ｐの値が６未満であるか否かを判断する。ｐの値が６未満であれば、ここでの判断は肯定され、ステップＳ５２３に移行する。
【０１０４】
このステップＳ５２３では、ｐの値を＋１して上記ステップＳ５０７に戻る。
【０１０５】
以下、ステップＳ５２１での判断が否定されるまで、ステップＳ５０７〜ステップＳ５２３の処理を繰り返す。
【０１０６】
ｐの値が６になると、ステップＳ５２１での判断は否定され、ステップＳ５２５に移行する。
【０１０７】
このステップＳ５２５では、ｍの値が予め設定されている整数Ｍ（Ｍ≧２）未満であるか否かを判断する。ｍの値がＭ未満であれば、ここでの判断は肯定され、ステップＳ５２７に移行する。
【０１０８】
このステップＳ５２７では、ｍの値を＋１して上記ステップＳ５０５に戻る。
【０１０９】
以下、ステップＳ５２５での判断が否定されるまで、ステップＳ５０５〜ステップＳ５２７の処理を繰り返す。
【０１１０】
ｍの値がＭになると、ステップＳ５２５での判断は否定され、ステップＳ５２９に移行する。
【０１１１】
このステップ５２９では、駆動装置１００ｂを介して遮光部材１００ａを「閉状態」にする。このように、必要な時以外は遮光部材１００ａを「閉状態」にしておくことにより、定着装置２０５０からの熱によって反射型光学センサ２２４５の温度が上昇するのを抑制することができる。
【０１１２】
次のステップＳ６０１では、遮光部材１００ａが「開状態」のときに取得された点灯タイミング毎の点灯発光部に対応する受光部の出力信号をＲＡＭから読み出し、発光部毎に、各受光部のＭ個の出力値の平均値、中央値、異常値を除いた平均値、異常値を除いた中央値のいずれかを第１検出値として求める。なお、Ｍが５以上であれば、最大値と最小値とを除いた３個以上の出力値の平均値、中央値、異常値を除いた平均値、異常値を除いた中央値のいずれかを第１検出値として求めても良い。
【０１１３】
次のステップＳ６０３では、遮光部材１００ａが「閉状態」のときに取得された点灯タイミング毎の点灯発光部に対応する受光部の出力信号をＲＡＭから読み出し、発光部毎に、各受光部のＭ個の出力値の平均値、中央値、異常値を除いた平均値、異常値を除いた中央値のいずれかを第２検出値として求める。なお、Ｍが５以上であれば、最大値と最小値とを除いた３個以上の出力値の平均値、中央値、異常値を除いた平均値、異常値を除いた中央値のいずれかを第２検出値として求めても良い。
【０１１４】
次のステップＳ６０５では、発光部毎に、各受光部について、第１検出値−第２検出値を演算し、第３検出値とする。これにより、定着ベルト５０２で反射された光のみを受光したときの各受光部の出力値を得ることができる。
【０１１５】
次のステップＳ６０７では、発光部毎に、各受光部の第３検出値を合算し、第４検出値とする。
【０１１６】
次のステップＳ６０９では、発光部毎に、各受光部の第２検出値を合算し、第５検出値とする。
【０１１７】
次のステップＳ６１１では、発光部毎に、第４検出値÷第５検出値を演算し、第６検出値とする。これによって、各発光部から等しい光量の光が射出されたときと同等の受光部出力を得ることができる。すなわち、発光部間の発光特性のばらつき、各発光部の発光特性の経時変化などが補正されている。第６検出値の一例が図２５に示されている。
【０１１８】
次のステップＳ６１３では、図２５における点灯発光部を光照射位置に変換し、光照射位置と第６検出値との関係を求める（図２６参照）。
【０１１９】
次のステップＳ６１５では、第６検出値について、ｙ軸方向に関して互いに隣接する２つの光照射位置での値を直線で結び（図２７参照）、その傾きを該２つの光照射位置の中点での微分値とする。そして、光照射位置と微分値との関係を求める（図２８参照）。なお、微分値の求め方はこれに限定されるものではない。例えば、連続する３つの光照射位置の両端での値を直線で結び、その傾きを３つのうちの中央の光照射位置での微分値としても良い。
【０１２０】
次のステップＳ６１７では、傷があるか否かを判断する。ここでは、絶対値が２０（ａ．ｕ．）を越える微分値があれば、傷ありと判断され、次のステップＳ６１９に移行する。
【０１２１】
このステップＳ６１９では、傷のある位置を求める。ここでは、微分値が−２０（ａ．ｕ．）よりも小さい値から＋２０（ａ．ｕ．）よりも大きな値に変化する際に、微分値が０（ａ．ｕ．）となる位置、いわゆるゼロクロス位置を求める（図２９参照）。このゼロクロス位置に対応する光照射位置が傷のある位置である。図２９では、１２．５ｍｍの位置に傷があると判定される。
【０１２２】
次のステップＳ６２１では、傷の深さに関するパラメータ（以下では、「深さパラメータ」と略述する。）を求める。ところで、傷の深さが深いほど、受光部で受光される反射光の強度の低下は大きいと考えられる。すなわち、反射光強度の低下量は、傷の深さと対応している。
【０１２３】
そこで、傷のある位置での検出値から深さパラメータを求めても良いが、反射型光学センサ２２４５の取り付け誤差や定着ベルト５０２の傾きなどに起因して、光照射位置と検出値との関係に傾き成分が重畳されている場合がある。
【０１２４】
この場合、先ず、光照射位置と微分値との関係を参照し、傷のある位置の−ｙ側及び＋ｙ側において、傷のないことが明確な光照射位置を求める（図３０参照）。図３０では、光照射位置が６ｍｍのところと１５ｍｍのところは、微分値が０に近く、傷のないことが明確である。
【０１２５】
次に、光照射位置と第６検出値との関係において、傷のないことが明確な２つの光照射位置での第６検出値を直線Ｌで結ぶ（図３１参照）。この直線Ｌの傾きが上記傾き成分である。
【０１２６】
次に、傷のある位置を挟む２つの第６検出値の平均値、あるいは小さいほうの値を、傷のある位置での検出値とする。
【０１２７】
次に、傷のある位置での直線Ｌの値と傷のある位置での検出値との差ｋ（図３１参照）を算出する。図３１では、ｋは６３．１（ａ．ｕ．）であり、反射光強度の低下率として約１６％に対応している。ここで算出されたｋが、深さパラメータであり、ｋの値が大きいほど傷が深いことを意味している。ここでは、ｋの値と画像品質との関係が予め実験などで取得され、ＲＯＭに格納されている。
【０１２８】
次のステップＳ６２３では、傷の幅を求める。ここでは、ｋ／２に対応する光照射位置の幅を傷の幅ｗとする（図３２参照）。図３２では、傷の幅ｗは約３ｍｍである。そして、表面状態チェック処理を終了する。
【０１２９】
なお、上記ステップＳ６１７において、全ての微分値の絶対値が２０（ａ．ｕ．）以下であれば、傷なしと判断され、表面状態チェック処理を終了する。
【０１３０】
本実施形態では、定着ベルト５０２で反射された光を受光したときの受光部出力に対して、開口部材４７での反射の影響を除去するとともに、発光部間の発光光量のばらつきを補正しているため、定着ベルト５０２における傷のある位置、傷の深さパラメータ、及び傷の幅を精度良く求めることができる。
【０１３１】
そして、プリンタ制御装置２０９０は、傷の深さパラメータ及び傷の幅の少なくとも一方が、予め設定されているそれらの閾値を越えていると、操作パネルの表示器に、定着ベルト５０２の表面に傷がある旨のメッセージとともに、傷のある位置、傷の深さパラメータ、及び傷の幅を表示する。作業者は、表示器の表示内容をメンテナンス業者に通知する。なお、この情報は、カラープリンタ２０００から自動的に公衆回線を介してメンテナンス業者に通知されても良い。
【０１３２】
メンテナンス業者は、傷のある位置、傷の深さパラメータ、及び傷の幅に応じて、定着ベルト５０２の表面を削る。この場合、傷のある位置、傷の深さパラメータ、及び傷の幅が高い精度で得られているため、削り不足や削り過ぎを防止することができる。すなわち、定着ベルト５０２のメンテナンスを適切に行うことができる。そこで、プリンタ制御装置２０９０は、画像品質の低下が抑制され、安定して良好な画像を形成することができる。
【０１３３】
以上の説明から明らかなように、本実施形態では、遮光機構１００によって本発明の光入射調整機構が構成されている。ここでは、「開状態」が第１状態であり、「閉状態」が第２状態である。また、プリンタ制御装置２０９０によって本発明の処理装置が構成されている。そして、上記表面状態チェック処理において、本発明のセンシング方法が実施されている。ここでは、前記第１検出値が第１出力値であり、前記第２検出値が第２出力値である。
【０１３４】
また、本実施形態では、プリンタ制御装置２０９０のＣＰＵによって行われる図２２〜図２４のフローチャートで示される処理がプログラムとしてプリンタ制御装置２０９０のＲＯＭ（記録媒体）に格納されている。
【０１３５】
以上説明したように、本実施形態に係るカラープリンタ２０００によると、光走査装置２０１０、４つの画像形成ステーション、中間転写ベルト２０４０、２次転写ローラ２０４２、定着装置２０５０、反射型光学センサ２２４５、遮光機構１００、操作パネル及びプリンタ制御装置２０９０などを備えている。
【０１３６】
反射型光学センサ２２４５は、基板４５、枠部材４６、ｙ軸方向に沿って配置され、定着ベルト５０２に向けて光を射出する２８個の発光部（Ｅ１１〜Ｅ７４）、７個の照明用レンズ（ＥＬ１〜ＥＬ７）、１個の受光用レンズＤＬ、ｙ軸方向に沿って等間隔に配置され、定着ベルト５０２で反射された光を受光する２８個の受光部（Ｄ１〜Ｄ２８）及び開口部材４７などを有している。
【０１３７】
そして、１個の照明用レンズに複数個の発光部が対応しているため、レンズ部材の構造を簡単化することができる。
【０１３８】
遮光機構１００は、遮光部材１００ａ及び該遮光部材１００ａをｘ軸方向に移動させる駆動装置１００ｂを有し、遮光部材１００ａの「開状態」及び「閉状態」を択一的に選択可能である。
【０１３９】
プリンタ制御装置２０９０は、遮光部材１００ａが「開状態」のときに得られた反射型光学センサ２２４５の出力信号に対して、遮光部材１００ａが「閉状態」のときに得られた反射型光学センサ２２４５の出力信号に基づいて、開口部材４７での反射の影響を除去するとともに、複数の発光部間の発光光量のばらつきを補正しているため、定着ベルト５０２における傷のある位置、傷の深さパラメータ、及び傷の幅を従来よりも精度良く求めることができる。
【０１４０】
その結果、定着ベルト５０２のメンテナンスを適切に行うことが可能となり、カラープリンタ２０００は、画像品質の低下が抑制され、良好な画像を安定して形成することができる。
【０１４１】
また、遮光部材１００ａが耐熱性を有し、「閉状態」のときは定着ベルト５０２からの熱が反射型光学センサ２２４５に直接伝わるのを阻止しているため、反射型光学センサ２２４５が耐熱性を有する必要はない。そこで、反射型光学センサ２２４５の高コスト化を抑制することができる。
【０１４２】
なお、上記実施形態では、組の数が７つの場合について説明したが、これに限定されるものではない。
【０１４３】
また、上記実施形態では、１つの組に含まれる発光部の数が４個の場合について説明したが、これに限定されるものではない。
【０１４４】
また、上記実施形態では、発光部の数と受光部の数とが等しい場合について説明したが、これに限定されるものではない。受光部の数が発光部の数よりも少なくても良い。この場合、オペアンプ等の電子部品も削減でき、低コスト化を図ることができる。また、受光部として、単一の受光面をもつものを用いても良い。
【０１４５】
要するに、反射型光学センサ２２４５は、１方向に配列されたＮ（≧１）個の発光部と、定着ベルト５０２からの反射光を受光するＫ（Ｋ≧１）個の受光部とを有していれば良い。
【０１４６】
また、上記実施形態において、照明用レンズを大きくして、受光用レンズと兼用しても良い。
【０１４７】
また、上記実施形態では、表面状態チェック処理において、遮光部材１００ａが「閉状態」のときの反射型光学センサ２２４５の出力信号を取得した後に、遮光部材１００ａが「開状態」のときの反射型光学センサ２２４５の出力信号を取得する場合について説明したが、これに限定されるものではない。遮光部材１００ａが「開状態」のときの反射型光学センサ２２４５の出力信号を取得した後に、遮光部材１００ａが「閉状態」のときの反射型光学センサ２２４５の出力信号を取得しても良い。
【０１４８】
また、上記実施形態では、表面状態チェック処理において、組２〜組６の２０個の発光部を用いる場合について説明したが、これに限定されるものではない。
【０１４９】
また、上記実施形態の表面状態チェック処理では、遮光部材１００ａが「閉状態」のときに、Ｍ回の繰り返しを行う場合について説明したが、該繰り返しを行わなくても良い（図３３参照）。この場合は、各受光部の出力値が前記第２検出値となる。
【０１５０】
また、上記実施形態の表面状態チェック処理では、遮光部材１００ａが「開状態」のときに、Ｍ回の繰り返しを行う場合について説明したが、該繰り返しを行わなくても良い（図３４参照）。この場合は、各受光部の出力値が前記第１検出値となる。なお、当然ながら、図３３のフローチャートと図３４のフローチャートを組み合わせても良い。
【０１５１】
また、上記実施形態の表面状態チェック処理において、複数の発光部間の発光光量のばらつきが小さい場合は、第４検出値をそのまま第６検出値としても良い。この場合は、ステップＳ６０９及びステップＳ６１１の処理は不要である。
【０１５２】
また、上記実施形態では、複数の受光部の配列ピッチが１ｍｍの場合について説明したが、これに限定されるものではない。
【０１５３】
また、上記実施形態では、複数の光スポットの形成ピッチが１ｍｍの場合について説明したが、これに限定されるものではない。
【０１５４】
また、上記実施形態では、複数の照明用レンズと１個の受光用レンズとが一体化されている場合について説明したが、これに限定されるものではない。
【０１５５】
また、上記実施形態では、複数の発光部を個別に順次点灯させる場合について説明したが、これに限定されるものではない。例えば、複数の発光部を同時に点灯させても良い。この場合は、１つの発光部に対して１つの受光部が対応することとなる。
【０１５６】
また、上記実施形態において、反射型光学センサ２２４５に処理装置を設け、表面状態チェック処理におけるプリンタ制御装置２０９０での処理の少なくとも一部を、該処理装置が行っても良い。
【０１５７】
また、上記実施形態において、一例として図３５（Ａ）及び図３５（Ｂ）に示されるように、遮光機構１００の駆動装置１００ｂは、遮光部材１００ａを巻上げることによって遮光部材１００ａを「開状態」にしても良い。この場合は、遮光機構１００の配置スペースを小さくすることができる。
【０１５８】
また、上記実施形態では、遮光機構１００が遮光部材１００ａ及び駆動装置１００ｂを有する場合について説明したが、これに限定されるものではない。要するに、反射型光学センサ２２４５から射出され定着ベルト５０２で反射された光を反射型光学センサ２２４５に入射させる第１状態と、反射型光学センサ２２４５から射出された光の反射光を反射型光学センサ２２４５に入射させない第２状態を、択一的に選択可能であれば良い。
【０１５９】
また、上記実施形態では、遮光部材１００ａのｙ軸方向に関する長さが、定着ベルト５０２の幅（ｙ軸方向に関する長さ）と同じ、もしくは若干長い場合について説明したが、これに限定されるものではない。例えば、熱遮蔽効果よりも小型化が優先される場合は、遮光部材１００ａのｙ軸方向に関する長さが、定着ベルト５０２の幅よりも短くても良い。但し、この場合であっても、遮光部材１００ａのｙ軸方向に関する長さは、反射型光学センサ２２４５のｙ軸方向に関する長さよりも長いことが好ましい。
【０１６０】
また、上記実施形態において、枠部材４６が４枚の側板から構成されていても良い。
【０１６１】
また、上記実施形態では、複数の発光部がｙ軸方向に沿って配置されている場合について説明したが、これに限定されるものではなく、複数の発光部がｙ軸方向に対して傾斜した方向に沿って配置されても良い。
【０１６２】
例えば、図３６に示されるように、複数の発光部がｙ軸方向に沿って配置されている場合の検出範囲をＡ、複数の発光部がｙ軸方向に対して４５°傾斜した方向に沿って配置されている場合の検出範囲をＡ’とすると、検出範囲Ａ’は検出範囲Ａの１／√２倍と小さくなるが、定着ベルト５０２における傷の位置及び傷の状態(傷の深さパラメータ、傷の幅）を求める際の位置分解能を高くすることができる。
【０１６３】
また、上記実施形態では、反射型光学センサ２２４５が１個設けられる場合について説明したが、これに限定されるものではない。例えば、図３７に示されるように、＋ｙ側の傷発生部位に対向する位置にも反射型光学センサ２２４５が設けられても良い。また、数多くのサイズの記録紙に対応し、傷発生部位が３以上ある場合は、傷発生部位毎に反射型光学センサ２２４５が設けられても良い。
【０１６４】
また、上記実施形態において、プリンタ制御装置２０９０のＣＰＵによるプログラムに従う処理の少なくとも一部をハードウェアによって構成することとしても良いし、あるいは全てをハードウェアによって構成することとしても良い。
【０１６５】
また、上記実施形態では、反射型光学センサ２２４５を用いて、定着ベルト５０２の表面における傷の位置と傷の深さパラメータと傷の幅とを検出する場合について説明したが、これに限定されるものではなく、傷の位置、傷の深さパラメータ、及び傷の幅の少なくともいずれかを検出しても良い。
【０１６６】
また、上記実施形態では、反射型光学センサ２２４５を用いて、定着ベルト５０２の表面における縦筋状の傷を検出する場合について説明したが、これに限定されるものではない。例えば、分離爪５０６や温度センサとの接触に起因する傷を、反射型光学センサ２２４５を用いて検出しても良い。
【０１６７】
縦筋状の傷の幅は数１００μｍ〜数ｍｍであるのに対し、分離爪５０６や温度センサとの接触に起因する傷の幅は数１０μｍ〜数１００μｍである。また、分離爪５０６や温度センサとの接触に起因する傷の発生位置はほぼ決まっている。そこで、縦筋状の傷と分離爪５０６や温度センサとの接触に起因する傷とを区別するのは容易である。
【０１６８】
また、反射型光学センサ２２４５を用いて、定着ベルト５０２の表面に付着している異物（例えば、トナー）を検出しても良い。
【０１６９】
また、反射型光学センサ２２４５を用いて、定着ベルト５０２以外の移動体の表面状態を検出しても良い。
【０１７０】
また、上記実施形態では、画像形成装置として、４色（ブラック、シアン、マゼンタ、イエロー）を重ね合わせてフルカラーの画像を形成するタンデム方式の多色カラープリンタの場合について説明したが、これに限定されるものではない。例えば、更に補助色を用いる多色カラープリンタであっても良いし、単色の画像を形成するプリンタであっても良い。
【０１７１】
また、上記実施形態では、画像形成装置として、カラープリンタの場合について説明したが、これに限らず、プリンタ以外の画像形成装置、例えば、複写機、ファクシミリ、又は、これらが集約された複合機であっても良い。
【０１７２】
また、画像形成装置以外の装置において、反射型光学センサ２２４５を用いて、対象物の表面状態を検出しても良い。
【符号の説明】
【０１７３】
４５…基板、４６…枠部材、４７…開口部材、１００…遮光機構（光入射調整機構）、１００ａ…遮光部材（板部材）、１００ｂ…駆動装置、５０１…加圧ローラ、５０２…定着ベルト（移動体、対象物）、５０３…定着ローラ、５０４…加熱ローラ、５０５…テンションローラ、２０００…カラープリンタ（画像形成装置）、２０１０…光走査装置、２０３０ａ〜２０３０ｄ…感光体ドラム、２０４０…中間転写ベルト、２０５０…定着装置、２０９０…プリンタ制御装置（処理装置）、２２４５…反射型光学センサ（センサ）、Ｄ１〜Ｄ２８…受光部、ＤＬ…受光用レンズ、Ｅ１１〜Ｅ７４…発光部、ＥＬ１〜ＥＬ７…照明用レンズ。
【先行技術文献】
【特許文献】
【０１７４】
【特許文献１】特開平５−１１３７３９号公報
【特許文献２】特許第４６３２８２０号公報
【図１】
2014153373.tif 000003
【図２】
2014153373.tif 000004
【図３】
2014153373.tif 000005
【図４】
2014153373.tif 000006
【図５】
2014153373.tif 000007
【図６】
2014153373.tif 000008
【図７】
2014153373.tif 000009
【図８】
2014153373.tif 000010
【図９】
2014153373.tif 000011
【図１０】
2014153373.tif 000012
【図１１】
2014153373.tif 000013
【図１２】
2014153373.tif 000014
【図１３】
2014153373.tif 000015
【図１４】
2014153373.tif 000016
【図１５】
2014153373.tif 000017
【図１６】
2014153373.tif 000018
【図１７】
2014153373.tif 000019
【図１８】
2014153373.tif 000020
【図１９】
2014153373.tif 000021
【図２０】
2014153373.tif 000022
【図２１】
2014153373.tif 000023
【図２２】
2014153373.tif 000024
【図２３】
2014153373.tif 000025
【図２４】
2014153373.tif 000026
【図２５】
2014153373.tif 000027
【図２６】
2014153373.tif 000028
【図２７】
2014153373.tif 000029
【図２８】
2014153373.tif 000030
【図２９】
2014153373.tif 000031
【図３０】
2014153373.tif 000032
【図３１】
2014153373.tif 000033
【図３２】
2014153373.tif 000034
【図３３】
2014153373.tif 000035
【図３４】
2014153373.tif 000036
【図３５】
2014153373.tif 000037
【図３６】
2014153373.tif 000038
【図３７】
2014153373.tif 000039